(57)【要約】      （修正有）【課題】衣料に付着した汚れに対して極めて高い洗浄力を示すと同時に、泥汚れやカーボン汚れに対する再汚染を防止効果も極めて高い粉末洗剤組成物、並びにポリオキシエチレン型非イオン性界面活性剤特有の臭気もない組成物の提供。【解決手段】（ａ）下記構造式（Ｉ）：Ｒ1 −Ｏ−（ＥＯ）ｍ−ＳＯ3 - Ｍ+ 〔式中、Ｒ1 はＣ８〜１８の、直鎖または分岐のアルキル基、若しくはアルケニル基、ｍは、平均が０．５〜４（但しｍ＝０が５０重量％以下）、ＥＯはエチレンオキシド基、Ｍ+ はナトリウムイオン又はカリウムイオンを示す。〕で表されるアニオン界面活性剤１２〜３０重量％、（ｂ）ＨＬＢ９〜１６のポリオキシアルキレン型非イオン性界面活性剤１〜９重量％、（ｃ）ゼオライト５〜５０重量％、及び（ｄ）アルカリ金属炭酸塩５〜５０重量％を含有し、（ａ）成分と（ｂ）成分の重量比が（ａ）／（ｂ）＝５．７／４．３〜９．６７／０．３３である粉末洗剤組成物。【選択図】なし【特許請求の範囲】
【請求項１】
（ａ）下記構造式（Ｉ）：
Ｒ1 −Ｏ−（ＥＯ）ｍ−ＳＯ3 - Ｍ+               （Ｉ）
〔式中、Ｒ1 は炭素数８〜１８の、単独または混合の、直鎖または分岐鎖のアルキル基、若しくはアルケニル基、ｍはエチレンオキシドの付加モル数であり、その平均が０．５〜４（但しｍ＝０のアニオン界面活性剤が（ａ）成分中５０重量％以下の割合で存在する）、ＥＯはエチレンオキシド基を表し、Ｍ+ はナトリウムイオン又はカリウムイオンを示す。〕
で表されるアニオン界面活性剤１２〜３０重量％、
（ｂ）ＨＬＢ９〜１６のポリオキシアルキレン型非イオン性界面活性剤１〜９重量％、
（ｃ）ゼオライト５〜５０重量％、及び
（ｄ）アルカリ金属炭酸塩５〜５０重量％
を含有し、（ａ）成分と（ｂ）成分の重量比が
（ａ）／（ｂ）＝５．７／４．３〜９．６７／０．３３
である粉末洗剤組成物。
【請求項２】
（ａ）成分の前記構造式（Ｉ）中、Ｒ1 が炭素数１２〜１６の、単独または混合の、直鎖または分岐鎖のアルキル基、若しくはアルケニル基であり、且つｍの平均が０．５〜３である請求項１記載の粉末洗剤組成物。
【請求項３】
（ｂ）成分の非イオン性界面活性剤が下記構造式（II）：
Ｒ2 −（ＥＯ）ｎ−ＯＨ                            （II）
（式中、Ｒ2 は炭素数１２〜１６の、単独または混合の、直鎖または分岐鎖のアルキル基、若しくはアルケニル基、ｎはエチレンオキシドの付加モル数であり、その平均が４〜９、ＥＯはエチレンオキシド基を示す。）
で表されるポリオキシアルキレン型非イオン性界面活性剤である請求項１又は２記載の粉末洗剤組成物。
【発明の詳細な説明】
【技術分野】
【０００１】
本発明は、衣料を洗濯する際に使用する粉末洗剤組成物に関する。
【背景技術】
【０００２】
衣料用粉末洗剤としては、易洗浄性の観点から、十分な洗浄力を発揮すると同時に泥汚れやカーボン汚れに対する再汚染も防止できることが近年ますます求められるようになっている。
そこで、例えば、粉末洗剤に配合する界面活性剤の組み合わせを工夫することで、高い洗浄力と、汚れに対する優れた再汚染防止性とを同時に発揮し得るものを得る試みが従来からなされているものの、それぞれの効果についてはさらに向上すべき点があった。
【０００３】
一方、従来からアニオン界面活性剤としてアルキルエトキシ硫酸ナトリウム（ＡＥＳ）等は食器用液体洗剤や住居用の液体洗剤として手肌に対する低刺激性や手の感触、また洗浄性能の高さから幅広く応用されている。しかし、衣料用粉末洗剤ではＡＥＳの利用を種々検討してきたものの（例えば、特許文献１〜６）、ＡＥＳを界面活性剤の主成分とする組成物は知られていなかった。このため、ＡＥＳの性能を十分に引き出すことができず、十分な洗浄性能が得られなかった。
【特許文献１】特開平７−１７９８９８号公報
【特許文献２】特表２００２−５０６４７１号公報
【特許文献３】特表平７−５０４６９６号公報
【特許文献４】特開平９−５０２４６８号公報
【特許文献５】特表平８−５０９０１３号公報
【特許文献６】特開平３−６２８９９号公報
【発明の開示】
【発明が解決しようとする課題】
【０００４】
本発明の課題は、衣料に付着した汚れに対して極めて高い洗浄力を示すと同時に、泥汚れやカーボン汚れに対する再汚染を防止する効果も極めて高い粉末洗剤組成物を得ることにある。さらにポリオキシエチレン型非イオン性界面活性剤特有の臭気もない粉末洗剤組成物を得ることにある。
【課題を解決するための手段】
【０００５】
本発明の要旨は、
（ａ）下記構造式（Ｉ）：
Ｒ1 −Ｏ−（ＥＯ）ｍ−ＳＯ3 - Ｍ+               （Ｉ）
〔式中、Ｒ1 は炭素数８〜１８の、単独または混合の、直鎖または分岐鎖のアルキル基、若しくはアルケニル基、ｍはエチレンオキシドの付加モル数であり、その平均が０．５〜４（但しｍ＝０のアニオン界面活性剤が（ａ）成分中５０重量％以下の割合で存在する）、ＥＯはエチレンオキシド基を表し、Ｍ+ はナトリウムイオン又はカリウムイオンを示す。〕
で表されるアニオン界面活性剤１２〜３０重量％、
（ｂ）ＨＬＢ９〜１６のポリオキシアルキレン型非イオン性界面活性剤１〜９重量％、
（ｃ）ゼオライト５〜５０重量％、及び
（ｄ）アルカリ金属炭酸塩５〜５０重量％
を含有し、（ａ）成分と（ｂ）成分の重量比が
（ａ）／（ｂ）＝５．７／４．３〜９．６７／０．３３
である粉末洗剤組成物に関する。
【発明の効果】
【０００６】
本発明の粉末洗剤組成物は、衣料に付着した汚れに対してこれまでにない高い洗浄力を示すと同時に、泥汚れやカーボン汚れに対する再汚染を防止する効果が高いため、かかる本発明の粉末洗剤組成物を使用することで、衣料に付着した汚れを除去できるだけでなく、泥汚れやカーボン汚れの衣料への再汚染も極めて少なくすることができるという優れた効果が発現される。さらには、本発明の粉末洗剤組成物は、ポリオキシエチレン型非イオン性界面活性剤特有の臭気もないため、官能性にも優れるという効果が発現される。
【発明を実施するための最良の形態】
【０００７】
本発明の粉末洗剤組成物は、前記のように、（ａ）前記構造式（Ｉ）で表されるアニオン界面活性剤１２〜３０重量％、（ｂ）ポリオキシアルキレン型非イオン性界面活性剤１〜９重量％、（ｃ）ゼオライト５〜５０重量％、及び（ｄ）アルカリ金属炭酸塩５〜５０重量％を含有し、かつ（ａ）成分と（ｂ）成分の重量比が（ａ）／（ｂ）＝５．７／４．３〜９．６７／０．３３であることを特徴とするものであり、かかる特徴を有することで、驚くべきことに、これまでにない高い洗浄力を示すと同時に、泥汚れやカーボン汚れに対する再汚染を防止する効果が高くなるという優れた効果が発現される。
【０００８】
従来の粉末洗剤においては、アルキルエトキシ硫酸ナトリウム型アニオン界面活性剤（ＡＥＳ）が、ポリオキシエチレン型ノニオン界面活性剤（ＰＯＥ）よりも多い配合、即ち、ＡＥＳを主界面活性剤として配合するという発想はほとんど見出されていない。というのも、ＡＥＳは熱に弱く、粉末洗剤製造時の噴霧乾燥工程に適していないことや、ＡＥＳの製造コストの面からも、配合しにくい界面活性剤であるからである。
【０００９】
本発明の特徴は、このように従来の粉末洗剤には配合し難かったエチレンオキシド付加モル数の比較的少ない（ＥＯ０．５〜４．０）ＡＥＳとポリオキシエチレン型ノニオン界面活性剤を特定の比率で混合することで、驚くべきことに、粉末洗剤としての洗浄性、及び再汚染防止性を顕著に向上させることを可能にした点にある。
特に、カーボンや泥といった汚れ成分に対する再汚染防止性は、ＡＥＳとＰＯＥを特定の比率で混合することにより得られるものであり、従来の粉末洗剤では得ることができなかった高レベルの性能である。
【００１０】
以下に、本発明の粉末洗剤組成物について詳しく説明する。
【００１１】
〔（ａ）成分〕
本発明に用いられる（ａ）成分は、前記構造式（Ｉ）で表されるアニオン界面活性剤である。
構造式（Ｉ）において、Ｒ1 の炭素数としては、８〜１８、好ましくは１０〜１６、より好ましくは１２〜１６である。またｍはエチレンオキシドの付加モル数であり、その平均が０．５〜４、好ましくは平均０．５〜３である。なお、平均とは、重量平均をいう。
また、本発明の粉末洗剤組成物中において、（ａ）成分は、前記構造式（Ｉ）で表されるアニオン界面活性剤の単独でまたは混合物の状態で存在し得る。混合物である場合、該アニオン界面活性剤の種類の組み合わせとしては、式（Ｉ）中、ｍ＝０のアニオン界面活性剤が（ａ）成分中５０重量％以下、好ましくは４０重量％以下の割合で存在するのであれば、特に限定はない。
【００１２】
前記（ａ）成分としては、易洗浄性の観点から、前記構造式（Ｉ）中、Ｒ1 が炭素数１２〜１６の単独または混合の、直鎖または分岐鎖のアルキル基、若しくはアルケニル基であり、且つｍの平均が０．５〜３であるアニオン界面活性剤が好ましい。
【００１３】
粉末洗剤組成物中における（ａ）成分の含有量は、１２〜３０重量％であり、１２〜２７重量％が好ましく、１２〜２５重量％がより好ましい。
【００１４】
また、本発明においては、（ａ）成分の含有量と、後述の（ｂ）成分の含有量との重量比〔（ａ）／（ｂ）〕が５．７／４．３〜９．６７／０．３３であることに一つの大きな特徴がある。本発明においては、かかる特定の重量比に調整することで、従来衣料用洗剤への配合が困難とされてきた（ａ）成分のアニオン界面活性剤を噴霧乾燥することなく使用して、極めて高い洗浄力を発揮することができるという利点がある。この重量比〔（ａ）／（ｂ）〕は、洗浄力及び再汚染防止性の観点から、５．３／４．７〜８．５／１．５が好ましく、５．３／４．７〜８／２がより好ましい。
【００１５】
〔（ｂ）成分〕
本発明に用いられる（ｂ）成分は、ＨＬＢが９〜１６のポリオキシアルキレン型非イオン性界面活性剤である。
ＨＬＢとしては、洗浄性及び臭いの観点から、９〜１５が好ましく、１０〜１４がより好ましい。なお、ＨＬＢは、水に対する親和性と油に対する親和性のバランスを示し、グリフィンの計算式に従って計算することができる。
【００１６】
（ｂ）成分としては、ポリオキシエチレンアルキル又はアルケニルエーテル、ポリオキシエチレンアルキル又はアルケニルフェニルエーテル、ポリオキシエチレンポリオキシプロピレンアルキル又はアルケニルエーテル、商標プルロニックに代表されるポリオキシエチレンポリオキシプロピレングリコール、ポリオキシエチレンアルキルアミン等が挙げられる。中でも、親水性の高いもの及び水と混和した際に生じる液晶の形成能の低い若しくは液晶を生じないものが好ましく、ポリオキシアルキレンアルキル又はアルケニルエーテルが特に好ましい。好ましくは炭素数が１０〜１８、より好ましくは１２〜１４であり、平均付加モル数が好ましくは５〜３０、より好ましくは７〜３０、更に好ましくは９〜３０、特に好ましくは１１〜３０であるアルコールのエチレンオキサイド（以下ＥＯ）付加物、その他に炭素数８〜１８のアルコールのＥＯ付加物及びプロピレンオキサイド（以下ＰＯ）付加物であることが好ましい。付加順序としてはＥＯを付加した後にＰＯを付加したもの、ＰＯを付加した後にＥＯを付加したもの、あるいはＥＯとＰＯをランダムに付加したものを用いることができる。
【００１７】
（ｂ）成分としては、洗浄性及び経済性の観点から、下記構造式（II）：
Ｒ2 −（ＥＯ）ｎ−ＯＨ                        （II）
（Ｒ2 は炭素数１２〜１６の単独または混合の、直鎖または分岐鎖のアルキル基、若しくはアルケニル基、ｎはエチレンオキシドの付加モル数であり、その平均が４〜９、ＥＯはエチレンオキシド基を示す。）
で表されるポリオキシアルキレン型非イオン性界面活性剤であることが好ましい。ここでｎの平均とは、重量平均をいう。
【００１８】
前記構造式（II）において、Ｒ2 の炭素数としては、洗浄性及び臭いの観点から、１２〜１６が好ましく、１２〜１４がより好ましい。また、ｎとしては、その平均が４〜９が好ましく、５〜８がより好ましい。
【００１９】
本発明においてはかかる（ｂ）成分を用いることで、５℃以下の低温でも充分な洗浄性が発揮されるという利点がある。
【００２０】
粉末洗剤組成物中における前記（ｂ）成分の含有量としては、１〜９重量％であり、製造コスト、洗浄力、臭いの観点から、１〜７重量％が好ましい。
なお、該（ｂ）成分の含有量が９重量％を越えると、原料コストの負担が増えるだけでなく、得られる洗剤組成物の臭いの点でも好ましくない。
【００２１】
なお、（ｂ）成分以外の非イオン性界面活性剤、例えば、高級脂肪酸アルカノールアミド、アルキルグルコシド、アルキルグルコースアミド、アルキルアミンオキサイド等も本発明の効果を損ねない範囲で含有することができる。
【００２２】
〔（ｃ）成分〕
本発明に用いられる（ｃ）成分は、一般の衣料用洗剤に使用されているゼオライトであれば特に限定はなく、例えば、ゼオライトとしては、Ａ型、Ｘ型、Ｐ型ゼオライトに代表される平均一次粒子径０．１〜１０μｍの合成ゼオライトが好適に使用される。ゼオライトは粉末及び／又はゼオライトスラリー又はスラリーを乾燥して得られるゼオライト凝集乾燥粒子として用いてもよい。
【００２３】
粉末洗剤組成物中における前記（ｃ）成分の含有量としては、５〜５０重量％であり、粉末の耐ケーキング性及び洗浄力の観点から、１０〜５０重量％が好ましく、２０〜５０重量％がより好ましい。
【００２４】
〔（ｄ）成分〕
本発明に用いられるアルカリ金属炭酸塩とは、塩化ナトリウム、塩化カリウム、炭酸水素ナトリウム、炭酸水素カリウム、炭酸ナトリウム、及び炭酸カリウムから選ばれる無機塩をさす。これらのアルカリ炭酸金属塩は２種以上を併用してもよい。
【００２５】
粉末洗剤組成物中における前記（ｄ）成分の含有量としては、５〜５０重量％であり、粉末の耐ケーキング性及び洗浄力の観点から、５〜４０重量％が好ましく、１０〜４０重量％がより好ましい。
【００２６】
本発明の粉末洗剤組成物は、前記（ａ）成分〜（ｄ）成分に加えて、水分、（ａ）成分及び（ｂ）成分以外の界面活性剤、漂白剤（過炭酸塩、過ホウ酸塩、漂白活性化剤等）、再汚染防止剤（カルボキシメチルセルロース等）、柔軟化剤、還元剤（亜硫酸塩等）、蛍光増白剤、抑泡剤（シリコーン等）、セルラーゼやプロテアーゼ等の酵素、香料等の任意成分も適宜配合することができる。
【００２７】
中でも、（ａ）成分及び（ｂ）成分以外の界面活性剤としては、例えば、（ａ）成分以外のアニオン性界面活性剤、カチオン性界面活性剤及び両性界面活性剤よりなる群から選ばれた１種以上を用いることができる。
【００２８】
アニオン性界面活性剤としては、アルキルベンゼンスルホン酸塩、α−オレフィンスルホン酸塩、α−スルホ脂肪酸塩又はこのエステル、アルキル又はアルケニルエーテルカルボン酸塩、アミノ酸型界面活性剤、Ｎ−アシルアミノ酸型界面活性剤等が例示される。特に炭素数１０〜１４の直鎖アルキルベンゼンスルホン酸塩が挙げられ、対イオンとしてはナトリウム、カリウム等のアルカリ金属、モノエタノールアミン、ジエタノールアミン等のアミンが好ましい。
【００２９】
また、消泡効果を得るために脂肪酸を併用することができる。好ましい脂肪酸の炭素数は、１２〜１８である。
【００３０】
カチオン性界面活性剤としては、アルキルトリメチルアンモニウム塩等の第４級アンモニウム塩等が挙げられる。
【００３１】
両性界面活性剤としては、カルボベタイン型のもの、スルホベタイン型のもの等が挙げられる。
【００３２】
以上のような組成を有する本発明の粉末洗剤組成物は、前記（ａ）〜（ｄ）成分、必要であれば任意成分を適宜、公知の方法で配合した後、混合することにより製造することができる。
【００３３】
本発明の粉末洗剤組成物は、水に対する溶解性の観点から、その洗剤粒子の平均粒径が２００〜１０００μｍであるのが好ましく、３００〜９００μｍであるのがより好ましい。
【００３４】
本発明の粉末洗剤組成物は、例えば、衣料用洗剤等として用いることができる。
【００３５】
本発明の粉末洗剤組成物の製造においては、できるだけ界面活性剤に熱をかけないで行うことが好ましい。例えば、後述の実施例に記載されるように、各成分を適宜添加・混合する方法や、一旦、界面活性剤担持用のベース顆粒を製造した後、これに対して界面活性剤を担持する方法が挙げられる。後述の方法としては、例えば、国際公開第９９／２９８３０号パンフレットに記載の方法が挙げられる。
【実施例】
【００３６】
実施例１〜１１、比較例１〜９
表１、２に示す各成分を適宜、添加した後、混合して、粉末洗剤組成物を得た。
得られた粉末洗剤組成物の洗浄性、再汚染防止性及び臭気についてそれぞれ以下にようにして評価した。得られた結果を表１、２に示す。
【００３７】
〔洗浄性〕
洗浄性の評価は以下の方法で行った。
松下電器産業製洗濯機「愛妻号  ＮＡ−Ｆ７０ＡＰ」へ衣料（肌着とＹシャツを８／２の重量比率）２．２ｋｇと１０ｃｍ×１０ｃｍの人工汚染布１０枚を３５ｃｍ×３０ｃｍの木綿台布３枚に縫い付けて均一に入れ、評価サンプル２２ｇを集合状態で衣類上に置き、評価サンプルに直接水が当たらないように注水し、標準コースで洗浄を行った。洗浄条件は次のとおりであった。
洗浄コース：標準コース、洗浄剤濃度０．０６７重量％、洗濯水７１．２ｍｇＣａＣＯ3 ／ＬでＣａ／Ｍｇのモル比７／３の硬水、水温２０℃、浴比１５Ｌ／ｋｇ。
【００３８】
洗浄性は、汚染前の原布及び洗浄前後の汚染布の５５０ｎｍにおける反射率を自記色彩計（島津製作所（株）製）にて測定し、次式によって洗浄率を求め、１０枚の測定平均値を洗浄性として示す。なお、洗浄後の反射率をＡ、洗浄前の反射率をＢ、原布の反射率をＣとする。
洗浄率（％）＝（Ａ−Ｂ）／（Ｃ−Ｂ）×１００
【００３９】
前記人工汚染布は、下記組成の人工汚染液を布に付着して調製した。人工汚染液の布への付着は、特開平７−２７０３９５号公報に準じて人工汚染液を布に印刷することで行った。人工汚染液を布に付着させ人工汚染布を作製する工程は、グラビアロールのセル容積５８ｃｍ3 ／ｃｍ2 、塗布速度１．０ｍ／ｍｉｎ、乾燥温度１００℃、乾燥時間１分で行った。布は木綿金巾２００３布（八頭商店製）を使用した。
【００４０】
〔人工汚染液の組成〕
汚垢組成                              （重量％）
オレイン酸                            ２８．３
トリオレイン                          １５．６
コレステロールオレート                １２．２
流動パラフィン                          ２．５
スクワレン                              ２．５
コレステロール                          ２．５
ゼラチン                                ７．０
無機汚垢                              ２９．８
カーボンブラック（日本油化学協会指定）  ０．５
【００４１】
〔再汚染防止性〕
木綿の白布（金巾２００３布）を１０ｃｍ×１０ｃｍに裁断し、５枚１組とした。評価用洗剤水溶液１Ｌに園芸用鹿沼赤土を加え、ターゴトメーターにて次の条件で洗浄試験を行った。洗浄条件は、洗浄時間：１０分、洗剤濃度：０．０８重量％、水の硬度：４°、水の温度：２０℃、すすぎ：２０℃水道水にて５分間流水すすぎである。
【００４２】
再汚染防止能は、洗浄前の原布（白布）及び試験後の汚染布の４６０ｎｍにおける反射率を自記色彩計（島津製作所製）にて測定し、次式によって再汚染防止率を求めた。
再汚染防止率（％）＝（試験後の反射率／原布の反射率）×１００
【００４３】
〔臭気〕
洗剤粒子３０ｇをポリエチレン袋（２０ｃｍ×２０ｃｍ）に入れ、密封し、３０℃の恒温槽に１時間入れた後、袋を開封し、臭いを以下の基準で評価した。
○：臭いがほとんどない、△：臭いが僅かにする、×：臭いがかなりする。
【００４４】
【表１】
2005213489.tif 000002
【００４５】
【表２】
2005213489.tif 000003
【００４６】
なお、表中、アニオン界面活性剤である化合物Ａ〜Ｇは以下のとおり。
化合物Ａ：前記構造式Ｉ中、Ｒ1 ＝ノルマル−Ｃ14Ｈ29、平均ｍ＝１、Ｍ＝Ｎａ
化合物Ｂ：前記構造式Ｉ中、Ｒ1 ＝ノルマル−Ｃ14Ｈ29、平均ｍ＝２、Ｍ＝Ｎａ
化合物Ｃ：前記構造式Ｉ中、Ｒ1 ＝ノルマル−Ｃ12Ｈ25、平均ｍ＝１、Ｍ＝Ｎａ
化合物Ｄ：前記構造式Ｉ中、Ｒ1 ＝ノルマル−Ｃ12Ｈ25、平均ｍ＝４、Ｍ＝Ｎａ
化合物Ｅ：前記構造式Ｉ中、Ｒ1 ＝ノルマル−Ｃ18Ｈ37、平均ｍ＝１、Ｍ＝Ｎａ
化合物Ｆ：前記構造式Ｉ中、Ｒ1 ＝ノルマル−Ｃ14Ｈ29、平均ｍ＝０、Ｍ＝Ｎａ
化合物Ｇ：前記構造式Ｉ中、Ｒ1 ＝ノルマル−Ｃ12Ｈ25、平均ｍ＝５、Ｍ＝Ｎａ
化合物Ｈ：前記構造式Ｉ中、Ｒ1 ＝ノルマル−Ｃ14Ｈ29、平均ｍ＝１、Ｍ＝Ｎａ
これらの化合物Ａ〜Ｇは、いずれもｍ＝０〜１０の化合物の混合物であり、ｍ＝０の化合物の含有量が（ａ）成分全体の５０重量％のものであった。また化合物Ｈはｍ＝０の化合物の含有量が（ａ）成分全体の４０重量％のものであった。
また、表中「Ｃ１２」、「Ｃ１４」はそれぞれ「炭素数１２」、「炭素数１４」を示す。
【００４７】
また、その他の原料としては、以下のものを用いた。
ポリオキシエチレンアルキルエーテル：エマルゲン１０８ＫＭ（エチレンオキサイド平均付加モル数：８．５、アルキル鎖の炭素数：１２〜１４、花王（株）製）
Ｃ１２アルキルグリコシド：マイドール１２（花王（株）製）
脂肪酸ナトリウム：ミリスチン酸ナトリウム（和光純薬（株）製）
ポリオキシエチレングリコール：（和光純薬（株）製）、分子量１万
炭酸ナトリウム：デンス灰（平均粒径：２９０μｍ、セントラル硝子（株）製）
硫酸ナトリウム：無水中性芒硝（四国化成（株）製）
塩化ナトリウム：焼き塩Ｓ（日本製塩（株）製）
ゼオライト：ゼオビルダー（４Ａ型、平均粒径：３．５μｍ、ゼオビルダー社製）
ポリアクリル酸ナリウム：和光純薬（株）製（分子量５万）
亜硫酸ナトリウム：亜硫酸ソーダ（三井化学（株）製）
結晶性珪酸塩：和光純薬（株）製
酵素造粒物：ノボ社製
過炭酸ナトリウム造粒物：和光純薬（株）製
蛍光増白剤：チノパールＣＢＳ−Ｘ（チバスペシャリティケミカルス社製）
【００４８】
表１、２の結果より、実施例１〜１１で得られた粉末洗剤組成物は、いずれも比較例１〜９で得られたものに比べて、洗浄率及び再汚染防止率が共に顕著に高く、かつ臭気のないものであることがわかる。
【産業上の利用可能性】
【００４９】
本発明の粉末洗剤組成物は、衣料用洗剤に好適に使用することができる。